(57)【要約】【課題】安全性を向上させる。【解決手段】シールド１裏面にレンズ体２、2aを一体成形することによって、レンズ体２、2aの脱落又は剥離による眼球損傷の危険を回避する。【選択図】        図１
2006184296.tif 000002
【特許請求の範囲】
【請求項１】
シールド裏面にレンズ体を一体成形したことを特徴とする度付眼鏡。
【請求項２】
シールドを表面凸型の湾曲形状に成形したことを特徴とする請求項１記載の度付眼鏡。
【請求項３】
レンズ体表面を凹面形状と成したことを特徴とする請求項１又は２記載の度付眼鏡。
【請求項４】
レンズ体表面を凸面形状と成したことを特徴とする請求項１又は２記載の度付眼鏡。
【請求項５】
シールド及びレンズ体をポリカーボネート樹脂、ＡＢＳ樹脂等の透光性を有する合成樹脂で成形したことを特徴とする請求項１、２、３又は４記載の度付眼鏡。
【請求項６】
表裏面シールド間に偏光フィルムを挟持させてシールドと成したことを特徴とする請求項１、２、３、４又は５記載の度付眼鏡。
【請求項７】
シールド及びレンズ体に染色したことを特徴とする請求項１、２、３、４、５又は６記載の度付眼鏡。
【請求項８】
シールド裏面に一体成形した凸部を研磨し、該凸部の表面を所定曲率に調整してレンズ体と成す様にしたことを特徴とする度付眼鏡の製造方法。
【請求項９】
シールド及びレンズ体に染料で着色する様にしたことを特徴とする請求項８記載の度付眼鏡の製造方法。
【発明の詳細な説明】
【０００１】
【発明の属する技術分野】
本発明は、シールド１枚で両眼を覆う様にしたシールド式の度付眼鏡及びその製造方法に関する。
【０００２】
【従来の技術】
従来、合成樹脂製のシールド１枚で両眼を覆う様にしたシールド式眼鏡は軽量且つ強靱な上ファッション性にも優れていることから、主にスポーツ用として使用されている。
又、シールド内の所定箇所に視力矯正用のレンズ体を設けたシールド式の度付眼鏡も種々提供されている。
【０００３】
研究開発段階や出願段階で先行技術調査を行っておらず、記載すべき先行技術文献を知りません。
【０００４】
【発明が解決しようとする課題】
ところが、上記従来の度付眼鏡はシールドとレンズ体が別体物で、シールドの所定箇所（眼鏡装着者の両眼との対向位置の２箇所）に穿設した透孔に別途成形したレンズ体を嵌設するか、レンズ体をシールド裏面に接着固定していたため、強い衝撃を受けた際にレンズ体の脱落や剥離の恐れがあり、安全性の点で問題を有していた。
【０００５】
【課題を解決するための手段】
本発明は、上記従来技術に基づく、安全性を向上せねばならない課題に鑑み、シールド裏面にレンズ体を一体成形することによって、レンズ体の脱落又は剥離による眼球損傷の危険を回避する様にして、上記課題を解決する。
【０００６】
【発明の実施の形態】
以下本発明の一実施例を図面に基づいて説明する。
本発明に係る度付眼鏡は、ポリカーボネート樹脂、ＡＢＳ樹脂等の透光性及び耐衝撃性に優れた合成樹脂から成り、図１〜３に示す様に、両眼を覆うシールド１と視力矯正用のレンズ体２、2aとが一体的に成形されている。
シールド１は、表面側が凸面の湾曲板形状に成形され、レンズ体２、2aはシールド１裏面の左右の２箇所、即ち眼鏡着用者の両眼に対応した所定箇所に位置し、レンズ体２、2aの表面は図１（ａ）、（ｂ）の様に凹面形状又は凸面形状と成している。
【０００７】
次に本発明の度付眼鏡の製造工程を説明し、本発明について更に詳述する。
先ず、ポリカーボネート樹脂等のモノマーを用いた注型重合法、又は熱可塑性樹脂を用いた射出成形法により、裏面に２個の凸部３、3aを有する表面凸状のシールド基材４を成形し、該シールド基材４外縁の不要部分を切除して、所望形状のシールド１をシールド基材４から切り出す（図２、３参照）。
次に、シールド１裏面の凸部３、3aの表面を凹面形状又は凸面形状に研磨し、所定曲率に調整して、レンズ体２、2aが形成された度付シールド５を得る（図１参照）。
最後に、度付シールド５の左右端付近にテンプル６、6aを取付け、更に度付シールド５の中央下部にノーズピース７、7aを取付けてシールド式の度付眼鏡を形成する。
【０００８】
度付眼鏡をサングラスとする場合は、例えば、シールド基材４形成用の合成樹脂に適宜色素を混合分散させるか、或いは、浸透性を高める染色助剤を添加した染料中にレンズ体２、2aの表面曲率調整済の透明度付シールド５を浸漬させて着色すれば良い。
又、偏光度付眼鏡とする場合は、例えば、シールド基材４の成形工程において、縦二分割可能な円筒型の内面中腹に凹溝を周設し、該凹溝に偏光フィルムを嵌合し、偏光フィルムの上下に樹脂モノマーを注入して、表裏面シールド間に偏光フィルムを挟持させたシールド基材４を成形し、該シールド基材４から度付シールド５を切り出す様にすれば良い。
【０００９】
以上、本実施例では、度付シールド５と別体のテンプル６、6a及びノーズピース７、7aを後付けする度付眼鏡について説明したが、テンプル６、6a及びノーズピース７、7aをシールド基材４の成形時に一体的に成形する様にしても良い。
【００１０】
【発明の効果】
要するに本発明は、シールド１裏面にレンズ体２、2aを一体成形したので、レンズ体２、2aの脱落又は剥離は皆無であるから、レンズ体２、2aの飛来による眼球損傷を回避して、安全性の向上を図ることが出来る。
又、部品点数を縮減することにより、製造工程を簡略化して、製造コストを削減できると共に、製品納期の短縮化を図ることが出来、更に在庫品の種類を単一化して、管理費を低く抑えることが出来る。
又、シールドにレンズ体を嵌設又は接着した従来品は、脱落又は剥離したレンズ体の眼球への飛来を回避するために、シールドの表面側にレンズ体を設けると、シールドとレンズ体との境界に段差が生じ、この段差に埃等が溜まって汚れ易くなってしまうが、本願発明品はシールド１の表面に段差がないから、汚れが付着し難く、又汚れが付着しても容易に拭き取ることが出来る。
【００１１】
シールド１を表面凸型の湾曲形状に形成したので、広い視野を確保できるだけでなく、頭部の形状に合わせてフット感を向上させることが出来る。
【００１２】
レンズ体２、2a表面を凹面形状と成したので、近視用、遠視用を問わず所望の度数のレンズ体２、2aに調整できる。
【００１３】
レンズ体２、2a表面を凸面形状と成したので、高屈折型のレンズ体２、2aに調整し、レンズ体２、2aの厚みを薄く抑えて、高い度数を要する場合でも、レンズ体２、2aと眼球との間に充分なクリアランスを確保することが出来る。
【００１４】
シールド１及びレンズ体２、2aをポリカーボネート樹脂、ＡＢＳ樹脂等の透光性を有する合成樹脂で形成したので、軽量かつ強靱なものとして、激しく行動するスポーツ分野にも対応することが出来る。
【００１５】
表裏面シールド間に偏光フィルムを挟持させてシールド１と成したので、防眩性を高めて、更なる用途拡張を図ることが出来る。
【００１６】
色素を混合分散させた素材で成形すると、厚い部分は濃色になり、薄い部分は淡色になって全体に色むらが生じる場合があるが、シールド１及びレンズ体２、2aに染色したので、シールド１及びレンズ体２、2aの表層部分のみに染料を浸透させることにより、均一に着色されたサングラスを得ることが出来る等その実用的効果甚だ大である。
【図面の簡単な説明】
【図１】本発明に係る度付眼鏡の水平切断部端面図である。
【図２】図１の度付眼鏡に用いる度付シールドの正面図である。
【図３】図２のＡ−Ａ切断部端面図である。
【符号の説明】
１      シールド
２、2a  レンズ体
３、3a  凸部
４      シールド基材
５      度付シールド
６、6a  テンプル
７、7a  ノーズピース
【図１】
2006184296.tif 000003
【図２】
2006184296.tif 000004
【図３】
2006184296.tif 000005